(57)【要約】【課題】画像表示装置に使用される映像信号処理回路において、映像表示領域の境界部に発生する偽の輪郭強調信号を除去し、画質劣化のない画像を表示させることを目的とする。【解決手段】注目画素の上側画素および下側画素の輝度レベルとしきい値ＹＨのレベルを輝度レベル判定回路１５１、１５２で判定し、そのＡＮＤ出力を１Ｈ期間の５０％以上について１Ｈカウンタ回路１５４でカウントする。カウント結果をカウント値判定回路１５５で判定値と比較して映像表示領域を検出する。検出した映像表示領域についてのみスイッチ回路１３０を制御して輪郭強調信号をオンにすることで偽の輪郭強調信号が重畳されないようにする。【選択図】　図３
2004128934.tif 000002
【特許請求の範囲】
【請求項１】
入力映像信号の輪郭を強調する手段を、映像表示領域とブランキング領域を判別し、映像表示領域とブランキング領域との境界部では動作させないことを特徴とする映像信号処理回路。
【請求項２】
入力映像輝度信号より輪郭成分を抽出してそれを適当なレベルに変換した映像輪郭強調信号を発生する映像輪郭抽出手段と、前記映像輪郭抽出手段より出力された映像輪郭強調信号を入力映像輝度信号に加算する加算手段と、入力映像輝度信号の映像表示領域とブランキング領域を判定する映像表示領域検出手段と、前記映像輪郭強調信号の入力映像輝度信号への加算を切り換える切り換えスイッチ手段を具備し、前記映像表示領域検出手段によって検出された映像表示領域について前記切り換えスイッチ手段を制御して前記映像輪郭強調信号を入力映像輝度信号に加算することを特徴とする映像信号処理回路。
【請求項３】
前記映像領域検出手段が、映像輪郭強調信号を加算する画素（以下、注目画素と称す）に対して少なくとも１ライン上側の画素の輝度レベルを予め設定したしきい値と比較する第１の輝度レベル判定手段と、少なくとも１ライン下側の画素の輝度レベルを予め設定したしきい値と比較する第２の輝度レベル判定手段と、前記第１および第２の輝度レベル判定手段の判定結果を１水平走査期間中の設定した期間について各々カウントする第１および第２のカウント手段と、前記第１および第２のカウント手段の最小値をとる最小値検出手段と、前記最小値検出手段によって検出された結果を予め設定した判定値と比較して前記切り換えスイッチ手段を制御する信号を発生するカウント値判定手段で構成されていることを特徴とする請求項２記載の映像信号処理回路。
【請求項４】
前記映像領域検出手段が、前記注目画素に対して少なくとも１ライン上側の画素の輝度レベルを予め設定したしきい値と比較する第１の輝度レベル判定手段と、少なくとも１ライン下側の画素の輝度レベルを予め設定したしきい値と比較する第２の輝度レベル判定手段と、前記第１および第２の輝度レベル判定手段の判定結果の論理積をとるＡＮＤ手段と、前記ＡＮＤ手段の出力を１水平走査期間中の設定した期間についてカウントするカウント手段と、前記カウント手段の出力を設定した予め判定値と比較して前記切り換えスイッチ手段を制御する信号を発生するカウント値判定手段で構成されていることを特徴とする請求項２記載の映像信号処理回路。
【発明の詳細な説明】
【０００１】
【発明の属する技術分野】
本発明は、画像表示装置の輪郭強調を行う画像信号処理回路において、映像信号の映像表示領域を検出し、映像表示領域とブランキング領域の境界部に発生するエラー信号を除去して高画質化を図る画像信号処理回路に関するものである。
【０００２】
【従来の技術】
近年、ビデオディスクプレーヤーなどの映像機器や映像ソフトの充実に伴い迫力のある映像を楽しむための大画面画像表示装置の要望が高まってきている。
【０００３】
図５は大画面表示装置の一例として液晶パネルを用いた投写型画像表示装置の一例の構成を示した構成図である。
【０００４】
図５において、１は液晶パネル、２は液晶パネル１を照明するための光源、３は光源２より照射された光を反射させるための反射鏡、４は光源２より照射された光および反射鏡３で反射された光を集光するための集光レンズ、５は液晶パネル１上に表示された映像を拡大投写するための投写レンズ、６はスクリーン、１１は入力された映像信号を処理して液晶パネル１に表示させる形式に変換する映像信号処理部、１２は同期信号分離部、１３は同期信号より液晶パネル１を駆動するための制御信号を発生する液晶パネル駆動制御部、１４は液晶パネル１の水平走査ドライバ部、１５は同じく液晶パネル１の垂直走査ドライバ部、１６は光源２の光源駆動部、１７は全体のシステム制御部である。
【０００５】
図６は映像信号処理部１１の構成の一例を示したブロック図である。
【０００６】
図６において２０は映像信号を輝度信号と色差信号に分離するための色信号復調部、３０は輝度信号について色々な画質調整を行う輝度信号調整部、４０は色差信号について色々な画質調整を行う色差信号調整部、５０は輝度信号と色差信号を赤色、緑色、青色の映像信号に変換するためのマトリックス回路部である。そして、輝度信号調整部３０は、黒レベル調整部３１、コントラスト調整部３２、輪郭強調部３３などで構成される。色差信号調整部４０は、色合い調整部４１、色の濃さ調整部４２などで構成される。
【０００７】
映像を従来の小さな画面に表示しているときは表示される映像の画質が十分なレベルにあると思っていても、投写型画像表示装置を用いて映像を大画面で表示すると表示される映像の画質が不十分に思える場合も多く、表示される映像を高画質化するための様々な方法が提案されている。
【０００８】
映像の高画質化するための一つの手段に、図６で示したように輪郭強調部３３で映像信号に映像の輪郭を強調する補正信号を重畳して輪郭をくっきりとさせる輪郭強調の方法がある。
【０００９】
輪郭強調の方法としてよく知られている方法には、映像信号の輝度信号の水平方向または垂直方向に対する２次微分信号を生成して、適当なレベルに変換した信号を輪郭強調の補正信号として元の輝度信号に加算する方法がある。ここで、水平方向の２次微分信号から生成した輪郭強調信号を加算するものが水平輪郭強調であり、垂直方向のものが垂直輪郭強調である。
【００１０】
このように輪郭強調信号は映像信号の２次微分信号より生成するのであるが、映像表示領域とブランキング領域の境界部では映像信号の不連続性によって、原理的に２次微分信号が発生してしまう。これを輪郭強調信号として後段の処理を行うことで境界部に輪郭補正信号が加算され、境界部の輝度レベルが上がってエッジがつくような状態になっていた（以下この状態を偽のエッジと称す）。従来のテレビ受信機では映像信号の映像表示領域をブラウン管の表示領域より大きくする、いわゆる、オーバースキャンにすることで上記したような不具合部分が表示されないようにしていた。
【００１１】
これに対して投写型画像表示装置などのような大画面表示装置では、レターボックス映像のように、例えばアスペクト比が４：３の表示画面に１６：９の映像を表示する場合も多い。この場合は、画面の上下部分にブランキング領域が表示されるので、必然的に映像表示領域との境界部が画面上に表示されることになり、境界部で発生するエラー信号によって偽のエッジが表示されていた。
【００１２】
従来の映像信号処理回路の一例としては特開平１０−８４３４１１号公報に記載されたものがある。
【００１３】
図７は従来の映像信号処理回路の一例の構成を示したブロック図であり、６０は輝度信号処理部、７０は輪郭強調部である。輪郭強調部７０は、輪郭抽出回路７１、係数乗算回路７２、加算回路７３、イネーブル信号生成回路７４、スイッチ回路７５で構成されている。輪郭抽出回路７１は、例えば、上記したような２次部分回路であり、映像信号の輪郭部を抽出する。輪郭抽出部７１で抽出した輪郭信号（ロ）を係数乗算回路７２で適当なレベルに変換し、加算回路７３で輝度信号処理部６０において処理した映像輝度信号と加算して輪郭強調を行っている。イネーブル信号生成回路７４は、水平表示領域信号、垂直表示領域信号によって示される映像表示領域よりイネーブル信号（イ）を生成する。このイネーブル信号（イ）でスイッチ回路７５を制御して映像表示領域以外では輪郭信号（ロ）が映像輝度信号に加算されないようにしている。
【００１４】
図８は従来の垂直表示領域信号の発生回路の一例の構成を示したブロック図である。入力された映像信号は同期分離回路８０で水平同期信号と垂直同期信号に分離される。垂直同期信号はブランキング期間カウンタ８１を起動し、ブランキング期間カウンタ８１は設定されたカウント数だけＨパルスをカウントする。ブランキング期間カウンタ８１のカウントが終了すると、ブランキング期間カウンタ８１は映像表示期間カウンタ８２を起動する。映像表示期間カウンタ８２は同様に設定されたカウント数だけＨパルスをカウントする。ブランキング期間カウンタ８１に垂直同期信号から、映像表示領域が始まるまでの期間を設定し、映像表示期間カウンタ８２に映像表示領域の期間を設定しておけば、映像表示期間カウンタ８２がカウントを行っている期間が垂直方向の表示領域を表すことになる。水平表示領域信号イも同様にして発生させることができる。
【００１５】
このような従来の表示領域信号発生回路の一例としては、例えば特開平７−４４１２５号公報に記載されたものがある。
【００１６】
【特許文献１】
特開平１０−８４３４１１号公報
【特許文献２】
特開平７−４４１２５号公報
【００１７】
【発明が解決しようとする課題】
上記したような従来の方式の映像信号処理回路では、映像表示期間を示す表示領域信号を垂直または水平同期信号を基準として、カウンタでＨパルスやドットクロックをカウントして一定の期間を示す信号を生成していた。そのため、カウンタには予め映像領域の開始位置や表示期間を示すデータを設定しておくことが必要であるが、シネマソースのようなレターボックスの映像信号では映像の表示位置がソースによって異なっていたり、また、投写型映像表示装置では映像の表示位置を垂直や水平方向に移動させて表示することも多いので、カウンタに設定しているデータが実際に表示している映像の表示位置と一致していない場合が生じる、という課題があった。そして、この設定データと映像表示位置との不一致は特に垂直方向について起こる場合が多かった。
【００１８】
本発明は、映像表示領域が異なる映像信号を表示する場合や、映像表示位置を移動させて表示する場合において、自動的に映像表示領域の境界を検出して輪郭強調を行う領域を制御することにより、境界部に偽のエッジが表示されることがない映像信号処理回路を提供することを目的とする。
【００１９】
【課題を解決するための手段】
上記した課題を解決するために第１の発明の映像信号処理回路は、入力映像信号の輪郭を強調する手段を、映像表示領域とブランキング領域を判別し、映像表示領域とブランキング領域との境界部では動作させないことを特徴とする。
【００２０】
上記のように、第１の発明の映像信号処理回路によれば、輪郭強調による映像表示領域とブランキング領域との境界部の偽のエッジが発生することがないという効果が得られる。
【００２１】
第２の発明の映像信号処理回路は、入力映像輝度信号より輪郭成分を抽出してそれを適当なレベルに変換した映像輪郭強調信号を発生する映像輪郭抽出手段と、前記映像輪郭抽出手段より出力された映像輪郭強調信号を入力映像輝度信号に加算する加算手段と、入力映像輝度信号の映像表示領域とブランキング領域を判定する映像表示領域検出手段と、前記映像輪郭強調信号の入力映像輝度信号への加算を切り換える切り換えスイッチ手段を具備し、前記映像表示領域検出手段によって検出された映像表示領域について前記切り換えスイッチ手段を制御して前記映像輪郭強調信号を入力映像輝度信号に加算することを特徴とする。
【００２２】
上記のように、第２の発明の映像信号処理回路によれば、映像表示領域を検出し、ブランキング領域では映像輪郭信号の加算を行わないように制御することで、境界部に偽のエッジが発生することがないという効果が得られる。
【００２３】
第３の発明の映像信号処理回路は、第２の発明の映像信号処理回路において、前記映像領域検出手段が、注目画素に対して少なくとも１ライン上側の画素の輝度レベルを予め設定したしきい値と比較する第１の輝度レベル判定手段と、少なくとも１ライン下側の画素の輝度レベルを予め設定したしきい値と比較する第２の輝度レベル判定手段と、前記第１および第２の輝度レベル判定手段の判定結果を１水平走査期間中の設定した期間について各々カウントする第１および第２のカウント手段と、前記第１および第２のカウント手段の最小値をとる最小値検出手段と、前記最小値検出手段によって検出された結果を予め設定した判定値と比較して前記切り換えスイッチ手段を制御する信号を発生するカウント値判定手段で構成されていることを特徴とする。
【００２４】
上記のように、第３の発明の映像信号処理回路によれば、注目画素の上側および下側ラインの画素の輝度レベルとしきい値との比較を１水平走査期間中の設定した期間について行い、比較結果のカウント結果によって映像表示領域とブランキング領域の境界を判定することで、自動的に映像表示領域を検出することができるという効果が得られる。
【００２５】
第４の発明の映像信号処理回路は、第２の発明の映像信号処理回路において、記映像領域検出手段が、前記注目画素に対して少なくとも１ライン上側の画素の輝度レベルを予め設定したしきい値と比較する第１の輝度レベル判定手段と、少なくとも１ライン下側の画素の輝度レベルを予め設定したしきい値と比較する第２の輝度レベル判定手段と、前記第１および第２の輝度レベル判定手段の判定結果の論理積をとるＡＮＤ手段と、前記ＡＮＤ手段の出力を１水平走査期間中の設定した期間についてカウントするカウント手段と、前記カウント手段の出力を設定した予め判定値と比較して前記切り換えスイッチ手段を制御する信号を発生するカウント値判定手段で構成されていることを特徴とする。
【００２６】
上記のように、第４の発明の映像信号処理回路によれば、注目画素の上側および下側ラインの画素の輝度レベルとしきい値との比較を１水平走査期間中の設定した期間について行い、比較結果のＡＮＤ出力のカウント結果によって映像表示領域とブランキング領域の境界を判定することで、自動的に映像表示領域を検出することができるという効果が得られる。
【００２７】
【発明の実施の形態】
以下、本発明の種々の実施形態について図面を用いて説明する。
【００２８】
（実施の形態１）
図１は本発明の第１の実施形態にかかる映像信号処理回路の一例の構成を示したブロック図であり、図１では垂直方向の映像輪郭強調処理回路について示している。
【００２９】
図１において、１００は垂直方向映像輪郭抽出部（特許請求の範囲では入力映像信号の輪郭を強調する手段、または映像輪郭抽出手段に相当）、１１０は垂直方向映像輪郭抽出部１００で作成した輪郭強調信号を元の映像輝度信号に加算するための加算回路（特許請求の範囲では加算手段に相当）、１２０は垂直映像表示領域検出部（特許請求の範囲では映像表示領域検出手段に相当）、１３０は信号のタイミングを調整するための１ライン遅延回路、１４０は輪郭強調信号の加算を制御するためのスイッチ回路（特許請求の範囲ではスイッチ手段に相当）である。
【００３０】
垂直方向映像輪郭抽出部１００は、一般的な２次微分回路の構成をとっており、映像輝度信号を垂直方向に１Ｈ期間遅延させる２つの１ライン遅延回路１０１、１０２、３Ｈ期間の各データにフィルター係数を掛けるためのフィルター係数乗算回路１０３、１０４、１０５、その結果を加算するための加算回路１０６、１０７、演算結果の２次微分信号を適当なレベルに調整するための係数乗算回路１０８で構成されている。垂直方向映像輪郭抽出部１００では映像輝度信号を垂直方向について２次微分を行い、レベルを調整することで輪郭強調信号（ａ）を得ている。これらの構成要素１０１〜１０８で構成される垂直方向映像輪郭抽出部１００の動作は、一般によく知られているので詳細な説明を省略する。
【００３１】
垂直映像表示領域検出部１２０は、注目画素の上側の画素の輝度レベルおよび下側の画素の輝度レベルを設定されたしきい値ＹＨと比較する第１の輝度レベル判定回路１２１および第２の輝度レベル判定回路１２２と、第１の輝度レベル判定回路１２１の判定結果を設定期間についてカウントする第１の１Ｈカウンタ回路１２３と、同じく第２の輝度レベル判定回路１２２の判定結果を設定期間についてカウントする第２の１Ｈカウンタ回路１２４と、第１の１Ｈカウンタ回路１２３と第２の１Ｈカウンタ回路１２４のうちカウント結果の少ない方の値をとる最小値回路１２５と、最小値回路１２５の出力値を設定された判定値Ｃと比較するカウント値判定回路１２６で構成されている。
【００３２】
図２は垂直映像表示領域検出部１２０の動作を説明するための説明図である。図２では表示画面の一部として垂直５ライン、水平１０画素の画面を示しており、上側の２ラインがブランキング領域、下側の３ラインが映像表示領域の場合を示している。
【００３３】
図２（ａ）は注目画素がブランキング領域中のラインＶ２にある場合を示している。この場合は、注目画素の上側の画素はラインＶ１にある画素であり、下側の画素はラインＶ３にある画素であるとする。しきい値ＹＨは、映像表示領域にある画素の輝度レベルとブランキング領域にある画素の輝度レベルを十分判別できるレベルに設定されてある。この状態では第１の輝度レベル判定回路１２１の出力は１Ｈ期間中の設定した期間に渡って全て”０”であり、第２の輝度レベル判定回路１２２の出力は１Ｈ期間中の設定した期間に渡って全て”１”になる。従って、第１の輝度レベル判定回路１２１の出力をカウントする第１の１Ｈカウンタ回路１２３のカウント値は”０”であり、第２の輝度レベル判定回路１２２の出力をカウントする第２の１Ｈカウンタ回路１２４のカウント値は”１０”になる。そして、１Ｈカウンタ１２３、１２４のカウント値の小さい方の値は”０”であるから、最小値判定回路１２５の出力は”０”になる。
【００３４】
カウント値判定回路１２６は最小値判定回路１２５の出力値と設定された判定値Ｃを比較し、その大小によって出力信号を出力する。判定値Ｃは、言い換えれば１Ｈ期間に輝度レベルがＹＨ以上である画素がＣ個以上のとき、そのラインは「映像表示領域である」と判定する判定値である。ここで例えばＹＨ＝１と設定しておけば、この場合のカウント値判定回路１２６の出力は”０”になる。
【００３５】
次に図２（ｂ）において注目画素が映像領域のラインＶ３に移った場合を考える。この場合は、注目画素の上側画素はまだブランキング領域にあるので、第１の１Ｈカウンタ１２３のカウント値は”０”であり、その結果、カウント値判定回路１２６の出力は”０”のままである。
【００３６】
図２（ｃ）において注目画素がラインＶ４に移ると、注目画素の上側画素も映像表示領域のラインＶ３に移るので、第１の１Ｈカウンタ１２３のカウント値は”１０”になり、カウント値判定回路１２６の出力は”１”になるので、これより映像表示領域を判定できる。
【００３７】
このように本発明の構成要素である垂直映像表示領域検出部１２０によれば、カウント値判定回路１２６の出力によって映像信号領域を検出することができるので、カウント値判定回路１２６の出力が”１”のときだけ、スイッチ回路１４０を制御して輪郭強調をオンにするように制御することができる。特に垂直映像表示領域検出部１２０では、注目画素が映像表示領域の最外部にあるときもカウンタ値判定回路１２６の出力が”０”になるので、輪郭強調信号の加算がオフになる。このように新たに信号を細工することなしに境界部での輪郭強調信号の加算をオフにすることができる。
【００３８】
ここで、１Ｈカウンタ１２３、１２４で輝度レベル判定回路１２１、１２２の出力を設定期間についてカウントするように構成したのは、例えばブランキング領域中に挿入された字幕などの様に、ほとんど黒の領域の一部が白であるラインを境界として誤検出することを防ぐためであり、設定期間は１Ｈ期間の５０％以上あることが望ましい。
【００３９】
なお、本実施例では輝度レベルを検出する画素を注目画素の１ライン上および下の画素とした場合について説明したが、これに限定される訳ではなく複数ライン離れた画素を用いても同様な効果を得ることができる。
【００４０】
以上のように第１の実施形態によれば、注目画素の上側の画素の輝度レベルおよび下側の画素の輝度レベルを予め設定したしきい値と比較した結果を、１水平走査期間中の設定した期間についてカウントし、カウント結果の最小値を設定した判定値と比較して輪郭強調をオン／オフするスイッチ回路を制御することで、映像表示領域の自動的な検出が可能となり、映像表示領域がどの位置にあっても、境界部に偽のエッジが発生することがないという効果が得られる。
【００４１】
（実施の形態２）
図３は本発明の第２の実施形態にかかる映像信号処理回路の一例の構成を示したブロック図であり、図３では垂直方向の映像輪郭強調処理回路について示している。なお、上記した第１の実施形態における映像信号処理回路と同一構成部分には同一符号を付して詳細な説明を省略する。
【００４２】
図３において、１００は垂直方向映像輪郭抽出部、１１０は垂直方向映像輪郭抽出部１００で作成した輪郭強調信号を元の映像輝度信号に加算するための加算回路、１５０は垂直映像表示領域検出部、１３０は信号のタイミングを調整するための１ライン遅延回路、１４０は輪郭強調信号の加算を制御するためのスイッチ回路である。
【００４３】
垂直映像表示領域検出部１５０は、注目画素の上側の画素の輝度レベルおよび下側の画素の輝度レベルを設定されたしきい値ＹＨと比較する第１の輝度レベル判定回路１５１および第２の輝度レベル判定回路１５２と、第１の輝度レベル判定回路１５１と第２の輝度レベル判定回路１５２の出力信号の論理積をとるＡＮＤ回路１５３、ＡＮＤ回路１５３の出力を設定期間についてカウントする１Ｈカウンタ回路１５４と、１Ｈカウンタ回路１５４の出力値を設定された判定値Ｃと比較するカウント値判定回路１５５で構成されている。
【００４４】
図４は垂直映像表示領域検出部１５０の動作を説明するための説明図である。図４では表示画面の一部として垂直５ライン、水平１０画素の画面を示しており、上側の２ラインがブランキング領域、下側の３ラインが映像表示領域の場合を示している。
【００４５】
図４（ａ）は注目画素がブランキング領域中のラインＶ２にある場合を示している。この状態では第１の輝度レベル判定回路１５１の出力は１Ｈ期間中の設定した期間に渡って全て”０”であり、第２の輝度レベル判定回路１５２の出力は１Ｈ期間中の設定した期間に渡って全て”１”になる。従って、ＡＮＤ回路１５３の出力は”０”になり、ＡＮＤ回路１５３の出力をカウントする１Ｈカウンタ回路１５４のカウント値は”０”になる。ここで例えばカウント値判定回路１５５の判定値をＹＨ＝１と設定しておけば、この場合のカウント値判定回路１５５の出力は”０”になる。
【００４６】
次に図４（ｂ）において注目画素が映像領域のラインＶ３に移った場合を考える。この場合は、注目画素の上側画素はまだブランキング領域にあるので、ＡＮＤ回路１５３の出力は”０”であり、カウント値判定回路１５５の出力は”０”のままである。
【００４７】
図４（ｃ）において注目画素がラインＶ４に移ると、注目画素の上側画素も映像表示領域のラインＶ３に移るので、第１の輝度レベル判定回路１５１の出力と、第２の輝度レベル判定回路１５２の出力はともに１Ｈ期間中の設定した期間に渡って全て”１”になる。従って、ＡＮＤ回路１５３の出力は”１”になり、ＡＮＤ回路１５３の出力をカウントする１Ｈカウンタ回路１５４のカウント値は”１０”になる。ここで、ＹＨ＝１であるからカウント値判定回路１５５の出力は”１”になり、これより映像表示領域を判定できる。
【００４８】
このように本発明の構成要素である垂直映像表示領域検出部１５０によれば、カウント値判定回路１５５の出力によって映像信号領域を検出することができるので、カウント値判定回路１５５の出力が”１”のときだけ、スイッチ回路１４０を制御して輪郭強調をオンにするように制御することができる。特に垂直映像表示領域検出部１５０では、注目画素が映像表示領域の最外部にあるときもカウンタ値判定回路１５５の出力が”０”になるので、輪郭強調信号の加算がオフになる。このように新たに信号を細工することなしに境界部での輪郭強調信号の加算をオフにすることができる。
【００４９】
ここで、１Ｈカウンタ１５４で輝度レベル判定回路１５１、１５２の出力を設定期間についてカウントするように構成したのは、例えばブランキング領域中に挿入された字幕など境界として誤検出することを防ぐためであり、設定期間は１Ｈ期間の５０％以上あることが望ましい。
【００５０】
本実施例の場合、注目画素の上側の画素の輝度レベルと下側の画素の輝度レベルを第１の輝度レベル判定回路１５１と、第２の輝度レベル判定回路１５２で予め設定されたしきい値ＹＨと比較した結果をＡＮＤ回路１５３でＡＮＤをとって結果を１Ｈカウンタ回路１５４でカウントするように構成しているが、このように構成することで第１の実施例の構成より回路構成を簡単化できる利点がある。一方、注目画素の上側画素の輝度レベルがＹＨ以下のとき下側画素の輝度レベルがＹＨ以上である場合や、その逆の場合である、といった状態が１Ｈ期間中の全ての画素について成り立つ場合は判定を誤ってしまうが、映像信号がこのような条件を満たすことはまず無いので実用上問題はない。
【００５１】
なお、本実施例では輝度レベルを検出する画素を注目画素の１ライン上および下の画素とした場合について説明したが、これに限定される訳ではなく複数ライン離れた画素を用いても同様な効果を得ることができる。
【００５２】
以上のように第２の実施形態によれば、注目画素の上側の画素の輝度レベルおよび下側の画素の輝度レベルを設定したしきい値と比較した結果のＡＮＤをとったものを、１水平走査期間中の予め設定した期間についてカウントし、カウント結果を予め設定した判定値と比較して輪郭強調をオン／オフするスイッチ回路を制御することで、映像表示領域の自動的なに検出が可能となり、映像表示領域がどの位置にあっても、境界部に偽のエッジが発生することがないという効果が得られる。
【００５３】
なお、上記した第１および第２の実施例では、映像表示領域の検出を垂直方向について注目して行うように説明したが、本実施例の構成を応用すれば水平方向の映像表示領域を検出することが可能であることは明らかである。
【００５４】
【発明の効果】
以上のように本発明によれば、注目画素の上側画素および下側画素の輝度レベルをしきい値と比較した結果を１Ｈ期間の５０％以上の期間についてカウントし、そのカウント値と判定値との比較によって映像表示領域を検出することによって、映像表示領域の開始位置や期間が分かっていなくても映像表示領域を自動的に検出することができ、かつ、輪郭強調を行う領域を映像表示領域に正しく設定することが可能になるため、映像表示領域の境界部で偽のエッジが表示されることで表示品位を低下させることを回避することができるという優れた効果がある。
【図面の簡単な説明】
【図１】本発明の第１の実施形態にかかる映像信号処理回路の構成を示したブロック図
【図２】同回路による垂直表示領域検出部の動作を示した状態図
【図３】本発明の第２の実施形態にかかる映像信号処理回路の構成を示したブロック図
【図４】同回路による垂直表示領域検出部の動作を示した状態図
【図５】従来の投写型画像表示装置の一例の構成を示した構成図
【図６】同装置における画像処理部の構成を示したブロック図
【図７】従来の輪郭強調回路の一例の構成を示したブロック図
【図８】従来の表示領域検出回路の一例の構成を示したブロック図
【符号の説明】
１００　垂直方向映像輪郭抽出部
１１０　加算回路
１２０　垂直映像表示領域検出部
１２１　第１の輝度レベル判定回路
１２２　第２の輝度レベル判定回路
１２３　第１の１Ｈカウンタ回路
１２４　第２の輝度レベル判定回路
１２５　最小値回路
１２６　カウント値判定回路
１３０　１ライン遅延回路
１４０　スイッチ回路
【図１】
2004128934.tif 000003
【図２】
2004128934.tif 000004
【図３】
2004128934.tif 000005
【図４】
2004128934.tif 000006
【図５】
2004128934.tif 000007
【図６】
2004128934.tif 000008
【図７】
2004128934.tif 000009
【図８】
2004128934.tif 000010